(57)【要約】【課題】正券クレジット余りを発生した旅客を特定できるようにした自動改札装置とその正券クレジット管理方法を提供する。【解決手段】自動改札装置１０は、改札券読取り手段と、通過者の改札通路での通過状態を検知する人間検知センサと、一並びの複数の登録欄を有する正券クレジット管理テーブル４５と、データリスト４６とを備える記憶手段３３と、改札券読取り手段によって読みとられた改札券が正券であると判定されたときに、改札券の正券クレジット情報を正券クレジット管理テーブル４５における未登録の登録欄のうち最新の登録欄に登録する登録手段４２と、人間検知センサＳＥ１５が通過者の通過完了を検知したときに、正券クレジット管理テーブル４５における既登録の登録欄のうち最新の登録欄に記録された正券クレジット情報を消去する情報消去手段４３と、を備える。【選択図】図２
2010286893.tif 000002
【特許請求の範囲】
【請求項１】
改札券読取り手段と、
通過者の改札通路での通過状態を検知する人間検知センサと、
一並びの複数の登録欄を有する正券クレジット管理テーブルと、データリストとを備える記憶手段と、
前記改札券読取り手段によって読みとられた改札券が正券であると判定されたときに、前記改札券の正券クレジット情報を前記正券クレジット管理テーブルにおける未登録の前記登録欄のうち最新の登録欄に登録する登録手段と、
前記人間検知センサが前記通過者の通過完了を検知したときに、前記正券クレジット管理テーブルにおける既登録の前記登録欄のうち最新の登録欄に記録された正券クレジット情報を消去する情報消去手段と、
を備えることを特徴とする自動改札装置。
【請求項２】
前記情報消去手段によって前記正券クレジット情報を消去する直前に、消去される前記正券クレジット情報に関係する情報をデータリストに記録するデータ記録手段を備えることを特徴とする請求項１記載の自動改札装置。
【請求項３】
前記正券クレジット情報に関係する前記情報は登録時刻と改札券ＩＤとを含み、
前記データ記録手段は、前記人間検知センサが検知した前記通過者の通過時刻が、前記正券クレジット管理テーブルに登録されている時刻から所定の一定時間を経過しているときには、前記正券クレジット管理テーブルに登録された前記情報を前記データリストに記録し、その後、前記情報消去手段は前記正券クレジット管理テーブルにおける前記情報を消去する、
ことを特徴とする請求項１または２記載の自動改札装置。
【請求項４】
前記改札券はＩＣカードであり、前記改札券読み取り手段はＩＣカード読取り手段であることを特徴とする請求項１〜３のいずれか１項に記載の自動改札装置。
【請求項５】
一並びの複数の登録欄を有する正券クレジット管理テーブルと、データリストとを利用し、
改札券読取り手段によって読みとられた改札券が正券であると判定されたときに、前記改札券の正券クレジット情報を正券クレジット管理テーブルにおける未登録の登録欄のうち最新の登録欄に登録し、
人間検知センサが前記改札券に対応する通過者の通過完了を検知したときに、前記正券クレジット管理テーブルにおける既登録の前記登録欄のうち最新の登録欄に記録された正券クレジット情報を消去する、
ことを特徴とする自動改札装置の正券クレジット管理方法。
【請求項６】
前記正券クレジット情報を消去する直前に、消去される前記正券クレジット情報に関係する情報をデータリストに記録することを特徴とする請求項５記載の自動改札装置の正券クレジット管理方法。
【請求項７】
前記正券クレジット情報に関係する前記情報は登録時刻と改札券ＩＤとを含み、
前記人間検知センサが検知した前記通過者の通過時刻が、前記正券クレジット管理テーブルに登録されている時刻から所定の一定時間を経過しているときには、前記正券クレジット管理テーブルに登録された前記情報を前記データリストに記録し、その後、前記正券クレジット管理テーブルにおける前記情報を消去することを特徴とする請求項５または６記載の自動改札装置の正券クレジット管理方法。
【発明の詳細な説明】
【技術分野】
【０００１】
本発明は、自動改札装置およびその正券クレジット管理方法に関し、特に、磁気券、磁気カードまたはＩＣカード等の改札券を用いて入出場処理するために好適な自動改札装置およびその正券クレジット管理方法に関するものである。
【背景技術】
【０００２】
従来、自動改札装置には、改札通路内の利用者（旅客）を検知するために複数の透過型光電センサまたは反射型光電センサから成る人間検知センサが設けられている。そして、自動改札装置の制御装置では、人間検知センサを用いて検知された改札通路内の利用者の位置データおよび改札券に記録されているデータに基づいて所定の入場、出場の演算処理（入出場処理）が行われるように構成されている。
【０００３】
この入出場処理では、改札券読取り装置によって読みとられた改札券が正券であると判定されたとき、改札通路の通過を許可する１つの通行権、いわゆる正券クレジットが生成され、当該正券クレジットを示す所定のデータ（正券クレジット情報）が記憶装置に記憶される。正券クレジット情報は、当該改札券の利用者が改札通路から通過したことが人間検知センサで検知されるまで、その記憶装置に記憶され、管理される。
【０００４】
自動改札装置における従来の正券クレジットの管理方式は例えば特許文献１〜４に開示されている。従来の正券クレジットの管理方式では、一般的に、利用者が自動改札装置にＩＣカード等の改札券を読み込ませる度に、正券カウンタ（一般的には正券クレジット管理部）と呼ばれるカウンタのカウント値を１増加し（インクリメント）、当該利用者が改札通路を通過したことにより正券カウンタのカウント値を１減少する（デクリメント）ようにしていた。
【先行技術文献】
【特許文献】
【０００５】
【特許文献１】特開２００６−１１３６３６号公報
【特許文献２】特開２００５−３０１９４４号公報
【特許文献３】特開２００３−１２３１０１号公報
【特許文献４】特開平０８−１６１５５４号公報
【発明の概要】
【発明が解決しようとする課題】
【０００６】
従来の自動改札装置の制御装置による正券クレジット管理によれば、改札券が正券であると判定されたとき、正券クレジット情報は、記憶装置の記憶領域内にその正券クレジットが発生された順番に登録されていた。そして、利用者が改札通路を通過したことが人間検知センサによって検知されたときには、記憶された正券クレジット情報のうちもっとも古い正券クレジット情報から削除するという処理が行われていた。何らかの要因で利用者の通過を自動改札装置が検知できなかった場合、正券クレジット情報の削除ができないため、正券クレジット情報が余る現象（正券クレジット余り）が発生していた。
【０００７】
従来の正券クレジット管理方式の制御では、正券クレジット余りが発生した状態で、さらに別の利用者が正券クレジット情報を記憶させ、自動改札装置を通過すると、記憶された最も古い正券クレジット情報から削除されるため、その結果、記憶装置に記憶された正券クレジット余りは、正常に通過した利用者に対応するものとなってしまい、正券クレジット余りを発生させた利用者との対応がつかなくなるという問題が生じていた。
【０００８】
また、従来、上記のように正券カウンタで正券クレジット情報の記録管理を行う場合には、正券カウンタのデクリメントができず、正券カウンタ余りが発生した状態で、別の利用者が正券カウンタをインクリメントして改札通路を通過すると、正券カウンタ余りが何時から発生していたか判断することができないという問題も提起される。
【０００９】
以上のように、従来の正券クレジット管理方式によれば、どの利用者（旅客）により正券クレジット余りが生じてしまったのかを特定することができなくなるという問題が提起される。
【００１０】
本発明の目的は、上記の課題に鑑み、正券カウンタを使用せず、正券クレジット（通行できる権利）を先入れ先出しのスタック構造を有する管理情報を用いて管理し、正券クレジット余りが生じたとき当該正券クレジット余りを発生した利用者を正確に特定できるようにした自動改札装置およびその正券クレジット管理方法を提供することにある。
【課題を解決するための手段】
【００１１】
本発明に係る自動改札装置およびその正券クレジット管理方法は、上記の目的を達成するため、次のように構成される。
【００１２】
第１の自動改札装置（請求項１に対応）は、改札券読取り部と、通過者の改札通路での通過状態を検知する人間検知センサと、一並びの複数の登録欄を有する正券クレジット管理テーブルとデータリストとを備える記憶装置と、改札券読取り部によって読みとられた改札券が正券であると判定されたときに、改札券の正券クレジット情報を正券クレジット管理テーブルにおける未登録の登録欄のうち最新の登録欄に登録する登録部と、人間検知センサが通過者の通過完了を検知したときに、正券クレジット管理テーブルにおける既登録の登録欄のうち最新の登録欄に記録された正券クレジット情報を消去する情報消去部と、を備えることを特徴とする。
【００１３】
上記の自動改札装置では、一並びの複数の登録欄を有する正券クレジット管理テーブルとデータリストとを備え、改札券読取り部によって読みとられた改札券が正券であると判定されたときに、改札券の正券クレジット情報を正券クレジット管理テーブルにおける未登録の登録欄のうち最新の登録欄に登録し、人間検知センサが通過者の通過完了を検知したときに、正券クレジット管理テーブルにおける既登録の登録欄のうち最新の登録欄に記録された正券クレジット情報を消去したため、正券クレジット余りが発生した状態で、さらに別の利用者（旅客）が正券クレジット情報を記憶させ、自動改札装置を通過すると、情報消去部によって、最新の登録欄に記録された正券クレジット情報から消去されるので、その結果、正券クレジット管理テーブルに記録された正券クレジット余りは、正券クレジット余りを発生させた利用者のものであり、それによって、正券クレジット余りを発生した利用者を特定することができる。
【００１４】
第２の自動改札装置（請求項２に対応）は、上記の構成において、好ましくは、情報消去部によって正券クレジット情報を消去する直前に、消去される正券クレジット情報に関係する情報をデータリストに記録するデータ記録部を備えることを特徴とする。
【００１５】
第３の自動改札装置（請求項３に対応）は、上記の構成において、好ましくは、正券クレジット情報に関係する情報は登録時刻と改札券ＩＤとを含み、データ記録部は、人間検知センサが検知した通過者の通過時刻が、正券クレジット管理テーブルに登録されている時刻から所定の一定時間を経過しているときには、正券クレジット管理テーブルに登録された情報をデータリストに記録し、その後、情報消去部は正券クレジット管理テーブルにおける情報を消去する、ことを特徴とする。
【００１６】
第４の自動改札装置（請求項４に対応）は、上記の構成において、好ましくは、改札券はＩＣカードであり、改札券読み取り部はＩＣカード読取り部であることを特徴とする。
【００１７】
第１の自動改札装置の正券クレジット管理方法（請求項５に対応）は、一並びの複数の登録欄を有する正券クレジット管理テーブルと、データリストとを利用し、改札券読取り部によって読みとられた改札券が正券であると判定されたときに、改札券の正券クレジット情報を正券クレジット管理テーブルにおける未登録の登録欄のうち最新の登録欄に登録し、人間検知センサが改札券に対応する通過者の通過完了を検知したときに、正券クレジット管理テーブルにおける既登録の登録欄のうち最新の登録欄に記録された正券クレジット情報を消去する、ことを特徴とする。
【００１８】
第２の自動改札装置の正券クレジット管理方法（請求項６に対応）は、上記の方法において、好ましくは、正券クレジット情報を消去する直前に、消去される正券クレジット情報に関係する情報をデータリストに記録することを特徴とする。
【００１９】
第３の自動改札装置の正券クレジット管理方法（請求項７に対応）は、上記の方法において、好ましくは、正券クレジット情報に関係する情報は登録時刻と改札券ＩＤとを含み、人間検知センサが検知した通過者の通過時刻が、正券クレジット管理テーブルに登録されている時刻から所定の一定時間を経過しているときには、正券クレジット管理テーブルに登録された情報をデータリストに記録し、その後、正券クレジット管理テーブルにおける情報を消去することを特徴とする。
【発明の効果】
【００２０】
本発明によれば、次の効果を奏する。
【００２１】
本発明に係る自動改札装置によれば、一並びの複数の登録欄を有する正券クレジット管理テーブルとデータリストとを備える記憶装置と、改札券読取り部によって読みとられた改札券が正券であると判定されたときに、改札券の正券クレジット情報を正券クレジット管理テーブルにおける未登録の登録欄のうち最新の登録欄に登録する登録部と、人間検知センサが通過者の通過完了を検知したときに、正券クレジット管理テーブルにおける既登録の登録欄のうち最新の登録欄に記録された正券クレジット情報を消去する情報消去部を備えるため、正券クレジット余りが発生した状態で、さらに別の旅客が正券クレジット情報を記憶させ、自動改札装置を通過すると、情報消去部によって、最新の登録欄に記録された正券クレジット情報から消去されるので、その結果、正券クレジット管理テーブルに記録された正券クレジット余りは、正券クレジット余りを発生させた旅客のものであり、それによって、正券クレジット余りを発生した旅客を特定することができる。
さらに本発明によれば、情報消去部によって正券クレジット情報を消去する直前に、消去される正券クレジット情報に関係する情報をデータリストに記録するデータ記録部を備えるため、消去された正券クレジット情報をデータリストによって把握することができる。
【００２２】
本発明に係る自動改札装置の正券クレジット管理方法によれば、一並びの複数の登録欄を有する正券クレジット管理テーブルとデータリストとを利用し、改札券読取り部によって読みとられた改札券が正券であると判定されたときに、改札券の正券クレジット情報を正券クレジット管理テーブルにおける未登録の登録欄のうち最新の登録欄に登録し、人間検知センサが改札券に対応する通過者の通過完了を検知したときに、正券クレジット管理テーブルにおける既登録の登録欄のうち最新の登録欄に記録された正券クレジット情報を消去するため、正券クレジット余りが発生した状態で、さらに別の旅客が正券クレジット情報を記憶させ、自動改札装置を通過すると、情報消去部によって、最新の登録欄に記録された正券クレジット情報から消去されるので、その結果、正券クレジット管理テーブルに記録された正券クレジット余りは、正券クレジット余りを発生させた旅客のものであり、それによって、正券クレジット余りを発生した旅客を特定することができる。
【図面の簡単な説明】
【００２３】
【図１】本発明の実施形態に係る自動改札装置の斜視図である。
【図２】制御装置の構成を示すブロック図である。
【図３】制御装置の正券クレジット管理部の構成を示すブロック図である。
【図４】記憶部の正券クレジット管理テーブルの概念図である。
【図５】自動改札装置における正券クレジット管理プログラムによって実行される手順（正券クレジット管理方法）を説明するフローチャートである。
【図６】自動改札装置を旅客が通過するときの処理を説明するための図である。
【図７】自動改札装置を旅客が通過するときの処理を説明するための図である。
【図８】自動改札装置を旅客が通過するときの処理を説明するための図である。
【図９】自動改札装置における正券クレジット管理プログラムによって実行される手順を説明するフローチャートである。
【図１０】自動改札装置における正券クレジット管理プログラムによって実行される手順を説明するフローチャートである。
【発明を実施するための形態】
【００２４】
以下に、本発明の好適な実施形態（実施例）を添付図面に基づいて説明する。
【００２５】
図１は、本発明の実施形態に係る自動改札装置の斜視図である。図１は、自動改札装置１０の本体部（改札機本体）を構成する筐体１１の斜視図であり、改札通路の側から見た図である。改札通路は、筐体１１と対をなす他の筐体（自動改札装置）によって形成される。図示しない他の筐体は、改札通路１２を挟んで筐体１１と向き合う形で並列に設けられている。自動改札装置１０は、筐体１１の改札通路１２の通過方向の進入（入口）側に設けられた磁気券（磁気カード等）からなる改札券の投入口１３と、その筐体１１の上面で改札通路１２の進出（出口）側に設けられた取出口１４と、その取出口１４の近傍に設けられた利用者に対して文字により所定の内容を案内するための旅客案内表示器１５と、筐体１１の側面に設けられた利用者に対して音声により案内するためのスピーカ１６を備えている。
【００２６】
投入口１３および取出口１４の間の筐体１１内には、図示しないカードハンドラが設けられている。このカードハンドラは、投入口１３から投入された改札券を取出口１４または筐体１１内に設けられた図示しない集札箱まで搬送させることができるように構成されている。そして、その搬送の途中において、投入口１３に投入された磁気券からなる改札券に記録されているデータを読み取り、新たなデータを書き込み、必要に応じてパンチや印字を行い、利用者へ返却する必要のある改札券を取出口１４に排出し、筐体１１内に回収する必要のある改札券を集札箱へ集札できるように構成されている。
【００２７】
また、自動改札装置１０は、筐体１１の投入口１３側の上面にＩＣカード読取り部（リーダ・ライタ）１７が設けられている。ＩＣカード読取り部１７は、無線通信機能を備えた非接触型ＩＣカードからなる改札券１８との間で、利用者（旅客）のタッチ行為に基づき交信できるように構成されている。
【００２８】
さらに、自動改札装置１０は、センサ取付ボックス１９が、筐体１１の上面で、かつ、改札通路１２と反対側に、その改札通路１２に沿って設けられている。このセンサ取付ボックス１９内には、反射型センサからなる３つの人間検知センサＳＥ１〜ＳＥ３が改札通路１２の入口側、中央部および出口側にそれぞれ内蔵されていて、改札通路１２を通過する大人を検知できるように構成されている。すなわち、この反射型センサからなる人間検知センサＳＥ１〜ＳＥ３は、改札通路１２の床面から所定の高さに向けて光線を照射する発光素子と、その照射された光線が物体（利用者）に当たって反射してきた光線（反射光）を受光する受光素子とにより構成された光電センサである。
【００２９】
また、自動改札装置１０は、光電素子からなる透過型センサからなる人間検知センサＳＥ１０〜ＳＥ１５が、一対の筐体間の改札通路１２側に所定の間隔を保って設けられている。人間検知センサＳＥ１０〜ＳＥ１５は、改札通路１２内の利用者位置を検知することができるように構成されている。これら人間検知センサＳＥ１０〜ＳＥ１５のうち、人間検知センサＳＥ１０は、改札通路１２の入口側に、人間検知センサＳＥ１５は、改札通路１２の出口側に、人間検知センサＳＥ１２およびＳＥ１３は、改札通路１２の中央部に、人間検知センサＳＥ１１は、改札通路１２の入口側と中央部との中間に、そして、人間検知センサＳＥ１４は、改札通路１２の出口側と中央部との中間に設けられている。これら透過型センサからなる人間検知センサＳＥ１０〜ＳＥ１５は、一方の筐体１１の側面に発光素子（投光器）を有するとともに、他方の筐体の側面に受光素子（受光器）を有して構成されている。従って、上記の人間検知センサＳＥ１０〜ＳＥ１５は発光素子を示している。これらの透過型センサからなる人間検知センサＳＥ１０〜ＳＥ１５で検知され、かつ、上述の反射型センサからなる人間検知センサＳＥ１〜ＳＥ３で検知されないときは、その利用者は子供（小児）の利用者と判定される。また、改札通路１２の中央部に設けられた一対の人間検知センサＳＥ１２，ＳＥ１３は、利用者が改札通路１２の中央部に達したことを検知するとともに、検出順序により改札通路１２内の利用者の移動方向を判定するために用いられている。
【００３０】
さらに自動改札装置１０は、改札通路１２を開閉するドア２０，２１を備えている。これらのドア２０，２１のうち、ドア２０は、改札通路１２の出口側に設けられ、ドア２１は、その入口側に設けられている。そして、これらドア２０，２１は、自動改札装置１０を制御する後述する制御装置３０により駆動されるように構成されている。なお、図示しない他方の筐体にも、筐体１１のドア２０，２１に対応した位置にドアが設けられている。また、ドア２１は、自動改札装置１０が稼動を停止したときに閉じられるドアであり、さらに、自動改札装置１０がノーマルオープン型のときや双方向型のときは、このドア２１は、図中の矢印方向と反対方向から進入してくる利用者に対して改札通路１２の出口側のドアとなる。
【００３１】
図２は、制御装置３０のブロック構成図である。制御装置３０は、主制御部３１と、記憶装置であるＲＯＭ３２およびＲＡＭ３３と、伝送制御部３４と、Ｉ／Ｏユニット３５とを備えている。Ｉ／Ｏユニット３５には、リーダ・ライタ１７、磁気券処理部３６、旅客案内表示器１５、プリンタ３７、ドアドライバ３８、通路情報表示器３９、係員案内表示器４０、人間検知センサＳＥ１〜ＳＥ３，ＳＥ１０〜ＳＥ１５が接続されている。
【００３２】
主制御部３１は、リーダ・ライタ１７または磁気券処理部３６からの信号と、人間検知センサＳＥ１〜ＳＥ３，ＳＥ１０〜ＳＥ１５からの信号に基づいて、自動改札装置１０の全体の制御を行い、旅客案内表示器１５、プリンタ３７、ドアドライバ３８、通路案内表示器３９、係員案内表示器４０の制御を行う。また主制御部３１は、入出場時の正券クレジット情報の管理を行う正券クレジット管理部４１を備えている。ＲＯＭ３２は、主制御部３１が行う制御で用いられるプログラム、設定などを格納する。ＲＡＭ３３は、主制御部３１が動作する際に使用するワークエリアとして使用し、管理情報などのデータを格納する。また、ＲＡＭ３３は、後述の正券クレジット管理テーブルとデータリストを備えている。伝送制御部３４は、上位機器との間で情報のやりとりをする。Ｉ／Ｏユニット３５は、リーダ・ライタ１７、磁気券処理部３６、旅客案内表示器１５、プリンタ３７、ドアドライバ３８、通路案内表示器１５、係員案内表示器４０の制御信号と、人間検知センサＳＥ１〜ＳＥ３，ＳＥ１０〜ＳＥ１５からの信号とを、主制御部３１との間で中継する。
【００３３】
リーダ・ライタ１７は、非接触ＩＣカードからなる改札券の読み取りと書き込みの処理を行う。磁気券処理部３６は、磁気券からなる改札券の読み取りと書き込みを行う。リーダ・ライタ１７と磁気券処理部３６を改札券読取り部と総称する。旅客案内表示器１５は、主制御部３１よりデータを受信し、旅客に対してカードの残額情報やエラー情報などの案内を表示する。ドアドライバ３８は、主制御部３１の指示に従ってドア２０，２１の開閉動作を行う。プリンタ３７は、旅客に対し座席案内等のレシートを出力する。また、主制御部３１で作成した正券クレジット余りが発生した旅客のリストを出力する。通路情報表示器３９は、主制御部３１よりデータを受信し旅客に対して「通行可」「通行不可」などの案内を表示する。係員案内表示器４０は、主制御部３１よりデータを受信し、係員向けの異常発生などの情報を表示する。人間検知センサＳＥ１〜ＳＥ３，ＳＥ１０〜ＳＥ１５は、透過型や反射型の光電センサで構成され、自動改札装置１０の通路１２内の旅客や荷物の有無を検知する。
【００３４】
図３は、制御装置３１の正券クレジット管理部４１のブロック構成図を示す。正券クレジット管理部４１は、登録部４２と、情報消去部４３と、データ記録部４４とを備えている。また上記のＲＡＭ３３は、図４で示す一並びの複数の登録欄（１，２，３，４）を有する正券クレジット管理テーブル４５と、データリスト４６とを備える。図４は、ＲＡＭ３３の正券クレジット管理テーブル４５の概念図である。正券クレジット管理テーブル４５は登録欄枠４５ａを含む。当該登録欄枠４５ａは、図４に示すように、例えば本実施形態では最大４つの一並びの登録欄（１〜４）を設けている。また、登録欄枠４５ａの各登録欄１〜４に対応して正券であることを記録する正券情報欄（例えば１）、正券クレジットが発生した時刻を記録する時刻情報欄、改札券ＩＤを記録するＩＤ情報欄を備えている。
【００３５】
登録部４２は、リーダ・ライタ１７や磁気券処理部３６等の改札券読取り部によって読みとられた改札券が正券であると判定されたときに、改札券の正券クレジット情報を正券クレジット管理テーブル４５における未登録の登録欄のうち最新の登録欄に登録する。情報消去部４３は、人間検知センサＳＥ１５によって通過者の通過完了を検知したときに、正券クレジット管理テーブル４５における既登録の登録欄のうち最新の登録欄に記録された正券クレジット情報を消去する。
【００３６】
データ記録部４４は、情報消去部４３によって正券クレジット情報を消去する直前に、消去される正券クレジット情報に関係する情報をデータリスト４６に記録する。
【００３７】
また正券クレジット情報に関係する情報は登録時刻と改札券ＩＤとを含む。データ記録部４４は、人間検知センサＳＥ１５が検知した通過者の通過時刻が、正券クレジット管理テーブル４５に登録されている時刻から所定の一定時間を経過しているときには、正券クレジット管理テーブルに登録されたその情報をデータリスト４６に記録し、その後、情報消去部４３は正券クレジット管理テーブル４５におけるその情報を消去する。
【００３８】
上記正券クレジット管理部４１の各機能は、ＲＯＭ３２に記憶された正券クレジット管理プログラムを実行することにより実現される。
【００３９】
次に、自動改札装置１０における正券クレジット管理プログラムによって実行される手順（正券クレジット管理方法）を図５、図９〜図１０のフローチャートと図６〜図８を用いて説明する。すなわち正券クレジット管理部４１で実行される正券クレジット管理方法を説明する。
【００４０】
まず、図５のフローチャートと図６〜図８の旅客（利用者）の動作状態とを参照して正券クレジット管理の手順を説明する。
【００４１】
ステップＳ１１：
図６（ａ）に示されるように、旅客５０の所持する改札券を改札券読取り部が読み取る。そのとき、正券クレジット管理テーブル４５の登録欄１〜４は空である。図６の正券クレジット管理テーブル４５では、登録欄が空であることを横バー（−）で示している。
ステップＳ１２：
登録部４２は、読みとられた改札券が正券であるか否かを判断する。
ステップＳ１３：
登録部４２は、読みとられた改札券が正券ではない場合、正券ではないときの処理、例えば、ドアを閉じる等の動作命令を送り、ドアが閉じられる。
ステップＳ１４：
登録部４２は、ステップＳ１２で正券であると判断されたとき、正券クレジット管理テーブル４５の登録欄１が空か否か判断する。
ステップＳ１５：
登録部４２は、ステップＳ１４で登録欄１が空であると判断されたとき、登録欄１に正券情報と時刻情報とＩＤ情報を記録する（図６（ｂ））。図６の正券クレジット管理テーブル４５では、登録欄に正券クレジット情報が記録されていることを丸印（○）で示す。
ステップＳ１６：
登録部４２は、出口側の人間検知センサＳＥ１５によって旅客５０の通過を検知したか否か判断する。もし、旅客５０の通過を検知しない場合には、ステップＳ１６を再度実行する。
ステップＳ１７：
データ記録部４４は、ステップＳ１６で旅客５０の通過を検知した場合、登録欄１に記録された正券クレジット情報、すなわち正券情報と時刻情報とＩＤ情報をデータリスト４６に記録する。
ステップＳ１８：
情報消去部４３は、登録欄１の正券クレジット情報を消去する（図６（ｃ））。そしてその後、リターンする。
【００４２】
ステップＳ１９：
登録部４２は、ステップＳ１４で登録欄１が空ではないと判断されたとき、正券クレジット管理テーブル４５の登録欄２が空か否か判断する。例えば、図７（ａ）で示すように、旅客５０が改札券を改札券読取り部で読み取らせ、正券クレジット管理テーブル４５の登録欄１に正券クレジット情報が記録された直後に、旅客５１が改札券を改札券読取り部に読み取らせた場合や、図８（ａ）に示すように、正券クレジット管理テーブル４５の登録欄１に正券クレジット余りが生じているときに旅客５２が改札券を改札券読取り部に読み取らせる場合である。
ステップＳ２０：
登録部４２は、ステップＳ１９で登録欄２が空であると判断されたとき、登録欄２に正券情報と時刻情報とＩＤ情報を記録する（図７（ｂ）、図８（ｂ））。
ステップＳ２１：
登録部４２は、出口側の人間検知センサＳＥ１５によって旅客の通過を検知したか否か判断する。もし、旅客の通過を検知しない場合には、ステップＳ２１を再度実行する。
ステップＳ２２：
データ記録部４４は、ステップＳ２１で旅客の通過を検知した場合、登録欄２に記録された正券クレジット情報、すなわち正券情報と時刻情報とＩＤ情報をデータリスト４６に記録する。
ステップＳ２３：
情報消去部４３は、登録欄２の正券クレジット情報を消去する。例えば、図７（ｃ）で示すように、旅客５０が人間検知センサＳＥ１５を通過した場合や、図８（ｃ）で示すように、旅客５２が人間検知センサＳＥ１５を通過した場合である。また、図７で示される場合には、図示はしていないが、旅客５１が人間検知センサＳＥ１５を通過したとき、データ記録部４４は、登録欄１に記録された正券クレジット情報、すなわち正券情報と時刻情報とＩＤ情報をデータリスト４６に記録し、情報消去部４３は、登録欄１の正券クレジット情報を消去する。
ステップＳ２４：
データ記録部４４は、登録欄１の時刻情報と人間検知センサＳＥ１５が検知した通過者の通過時刻との差が所定値以上か否か判断する。もし、その差が所定値より小さい場合、リターンする。
ステップＳ２５：
データ記録部４４は、ステップＳ２４で時刻の差が所定値以上の場合、登録欄１の正券クレジット情報をデータリスト４６に記録する（図８（ｄ））。また、データ記録部４４は、登録欄１の正券クレジット情報をプリンタ３７で出力する。
ステップＳ２６：
登録欄１の正券クレジット情報を消去する（図８（ｄ））。そしてその後、リターンする。
【００４３】
次に、図９のフローチャートにより図５のステップＳ１９で登録欄２が空ではないと判断されたときの正券クレジット管理の手順を説明する。
ステップＳ３１：
登録部４２は、ステップＳ１９で登録欄２が空ではないと判断されたとき、正券クレジット管理テーブル４５の登録欄３が空か否か判断する。登録欄３が空ではないと判断された場合、図１０で示すステップＳ５１を実行する。
ステップＳ３２：
登録部４２は、ステップＳ３１で登録欄３が空であると判断されたとき、登録欄３に正券情報と時刻情報とＩＤ情報を記録する。
ステップＳ３３：
登録部４２は、出口側の人間検知センサＳＥ１５によって旅客の通過を検知したか否か判断する。登録部４２は、もし、旅客の通過を検知しない場合には、ステップＳ３３を再度実行する。
ステップＳ３４：
データ記録部４４は、ステップＳ３３で人の通過を検知した場合、登録欄３に記録された正券クレジット情報、すなわち正券情報と時刻情報とＩＤ情報をデータリスト４６に記録する。
ステップＳ３５：
情報消去部４３は、登録欄３の正券クレジット情報を消去する。
ステップＳ３６：
データ記録部４４は、登録欄１の時刻情報と人間検知センサＳＥ１５が検知した通過者の通過時刻との差が所定値以上か否か判断する。もし、その差が所定値より小さい場合、ステップＳ３９を実行する。
ステップＳ３７：
データ記録部４４は、ステップＳ３６で時刻の差が所定値以上の場合、登録欄１の正券クレジット情報をデータリスト４６に記録する。また、データ記録部４４は、登録欄１の正券クレジット情報をプリンタ３７で出力する。
ステップＳ３８：
情報消去部４３は、登録欄１の正券クレジット情報を消去する。
ステップＳ３９：
データ記録部４４は、登録欄２の時刻情報と人間検知センサＳＥ１５が検知した通過者の通過時刻との差が所定値以上か否か判断する。もし、その差が所定値より小さい場合、リターンする。
ステップＳ４０：
データ記録部４４は、ステップＳ３９で時刻の差が所定値以上の場合、登録欄２の正券クレジット情報をデータリストに記録する。また、データ記録部４４は、登録欄２の正券クレジット情報をプリンタ３７で出力する。
ステップＳ４１：
情報消去部４３は、登録欄２の正券クレジット情報を消去する。そしてその後、リターンする。
【００４４】
次に、図１０のフローチャートにより図９のステップＳ３１で登録欄３が空ではないと判断されたときの正券クレジット管理の手順を説明する。
ステップＳ５１：
登録部４２は、ステップＳ３１で登録欄３が空ではないと判断されたとき、正券クレジット管理テーブル４５の登録欄４が空か否か判断する。登録欄４が空ではないと判断された場合、ドアを閉じる等の一時停止処理を行う。
ステップＳ５２：
登録部４２は、ステップＳ５１で登録欄４が空であると判断されたとき、登録欄４に正券情報と時刻情報とＩＤ情報を記録する。
ステップＳ５３：
登録部４２は、出口側の人間検知センサＳＥ１５によって旅客の通過を検知したか否か判断する。もし、旅客の通過を検知しない場合には、ステップＳ５３を再度実行する。
ステップＳ５４：
データ記録部４４は、ステップＳ５３で旅客の通過を検知した場合、登録欄４に記録された正券クレジット情報、すなわち正券情報と時刻情報とＩＤ情報をデータリスト４６に記録する。
ステップＳ５５：
情報消去部４３は、登録欄４の正券クレジット情報を消去する。
ステップＳ５６：
登録部４２は、登録欄１の時刻情報と人間検知センサが検知した通過者の通過時刻との差が所定値以上か否か判断する。もし、その差が所定値より小さい場合、ステップＳ５９を実行する。
ステップＳ５７：
データ記録部４４は、ステップＳ５６で時刻の差が所定値以上の場合、登録欄１の正券クレジット情報をデータリストに記録する。また、データ記録部４４は、登録欄１の正券クレジット情報をプリンタ３７で出力する。
ステップＳ５８：
情報消去部４３は、登録欄１の正券クレジット情報を消去する。
ステップＳ５９：
登録部４２は、登録欄２の時刻情報と人間検知センサが検知した通過者の通過時刻との差が所定値以上か否か判断する。もし、その差が所定値より小さい場合、ステップＳ６２を実行する。
ステップＳ６０：
データ記録部４４は、ステップＳ５９で時刻の差が所定値以上の場合、登録欄２の正券クレジット情報をデータリスト４６に記録する。また、データ記録部４４は、登録欄２の正券クレジット情報をプリンタ３７で出力する。
ステップＳ６１：
情報消去部４３は、登録欄２の正券クレジット情報を消去する。
ステップＳ６２：
登録部４２は、登録欄３の時刻情報と人間検知センサが検知した通過者の通過時刻との差が所定値以上か否か判断する。もし、その差が所定値より小さい場合、リターンする。
ステップＳ６３：
データ記録部４４は、ステップＳ６２で時刻の差が所定値以上の場合、登録欄３の正券クレジット情報をデータリスト４６に記録する。また、データ記録部４４は、登録欄３の正券クレジット情報をプリンタ３７で出力する。
ステップＳ６４：
情報消去部４３は、登録欄３の正券クレジット情報を消去する。そしてその後、リターンする。
【００４５】
以上のように、本実施形態に係る自動改札装置１０の正券クレジット管理方法では、正券クレジット余りが発生した状態で、さらに別の旅客が正券クレジット情報を記憶させ、自動改札装置１０を通過すると、情報消去部４３によって、最新の登録欄に記録された正券クレジット情報から消去されるため、その結果、正券クレジット管理テーブルに記録された正券クレジット余りは、正券クレジット余りを発生させた旅客のものであり、それによって、正券クレジット余りを発生した旅客を特定することができる。
【００４６】
また本実施形態に係る自動改札装置１０の正券クレジット管理方法によれば、情報消去部４３によって正券クレジット情報を消去する直前に、消去される正券クレジット情報に関係する情報をデータリスト４６に記録するデータ記録部４４を備えるため、消去された正券クレジット情報をデータリスト４６によって把握することができる。
【００４７】
さらに、正券クレジット情報に関係する情報は登録時刻と改札券ＩＤとを含み、データ記録手段は、人間検知センサＳＥ１５が検知した通過者の通過時刻が、正券クレジット管理テーブル４５に登録されている時刻から所定の一定時間を経過しているときには、正券クレジット管理テーブル４５に登録された情報をデータリスト４６に記録し、また、その情報をプリンタ３７で出力し、その後、情報消去部４３は正券クレジット管理テーブル４５における情報を消去するため、正券クレジット余りが発生したことを特定でき、正券クレジット余りを発生した旅客とその前後の旅客を特定することができる。
【００４８】
なお、本実施形態では、正券クレジット管理テーブルは、登録欄が４個あるもので説明したが、４個に限らず、他の登録欄の個数の場合でも同様な方法で正券クレジット管理を行うことができる。
【００４９】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００５０】
本発明に係る自動改札装置およびその正券クレジット管理方法は、鉄道、バス、空港等の交通機関の駅等における自動改札で、磁気券、磁気カードまたはＩＣカード等の改札券を用いて入出場処理を行うとき、高い精度で利用者の管理を行うために利用される。
【符号の説明】
【００５１】
１０          自動改札装置
１１          筐体
１２          改札通路
１３          投入口
１４          取出口
１５          旅客案内表示器
１６          スピーカ
１７          ＩＣカード読取り部（リーダ・ライタ）
１８          改札券
１９          センサ取付ボックス
２０，２１    ドア
３０          制御装置
３１          主制御部
３２          ＲＯＭ
３３          ＲＡＭ
３４          伝送制御部
３５          Ｉ／Ｏユニット
３６          磁気券処理部
３７          プリンタ
３８          ドアドライバ
４１          正券クレジット管理部
４２          登録部
４３          情報消去部
４４          データ記録部
４５          正券クレジット管理テーブル
４６          データリスト
ＳＥ１〜ＳＥ３      人間検知センサ
ＳＥ１０〜ＳＥ１５  人間検知センサ
【図１】
2010286893.tif 000003
【図２】
2010286893.tif 000004
【図３】
2010286893.tif 000005
【図４】
2010286893.tif 000006
【図５】
2010286893.tif 000007
【図６】
2010286893.tif 000008
【図７】
2010286893.tif 000009
【図８】
2010286893.tif 000010
【図９】
2010286893.tif 000011
【図１０】
2010286893.tif 000012